(57)【要約】【解決手段】パイプ１の外周面２に載置される可動台３の載置部４にその外周面２の周方向Ｒに沿って転動し得る複数の載置ローラ８，１０等を支持し、可動台３には電動モータ２０により回転するカッター２３をパイプ１の外周面２に対し接離可能に支持するとともに、パイプ１の外周面２に巻き掛けられて締め付け可能なローラ付きチェーン１１を取り付け、パイプ１の外周面２に対しローラ付きチェーン１１をその外周面２の周方向Ｒに沿って移動させながら可動台３と電動モータ２０とカッター２３とをその外周面２の周方向Ｒに沿って移動させて、そのカッター２３によりパイプ１の外周壁を切断する際に、各載置ローラ８，１０等のうち一つの載置ローラがパイプ１の外周面２の周方向Ｒ両側向きＲＦ，ＲＢのうちカッター２３の移動向きＲＦにのみ回転し得るように爪車装置を備えた。【効果】切断時の安定性を向上させて使い勝手を良くすることができる。【選択図】図４
2012035347.tif 000002
【特許請求の範囲】
【請求項１】
パイプの外周面に載置される可動台の載置部にその外周面の周方向に沿って転動し得る複数の載置ローラを支持し、この可動台には駆動部により回転するカッターをパイプの外周面に対し接離可能に支持するとともに、パイプの外周面に巻き掛けられて締め付け可能な可撓索を取り付け、パイプの外周面に対しこの可撓索をその外周面の周方向に沿って移動させながら前記可動台と駆動部とカッターとをその外周面の周方向に沿って移動させて、そのカッターによりパイプの外周壁を切断する際に、前記各載置ローラのうち少なくとも一つの載置ローラがパイプの外周面の周方向両側向きのうち前記カッターの移動向きにのみ回転し得るように回転向き規制手段を備えたことを特徴とするパイプ切断機。
【請求項２】
前記回転向き規制手段は爪車と爪とを有する爪車装置であることを特徴とする請求項１に記載のパイプ切断機。
【請求項３】
前記各載置ローラは可動台の載置部においてパイプの周方向両側及び軸線方向両側でそれぞれ支持され、その各載置ローラのうち一つの載置ローラに前記回転向き規制手段を備えていることを特徴とする請求項１または請求項２に記載のパイプ切断機。
【請求項４】
前記可撓索はチェーン本体の幅方向両側にチェーン本体の長手方向に沿ってチェーンローラを並設したローラ付きチェーンであって、パイプの外周面に巻き掛けられたローラ付きチェーンを締め付けたり緩めたりすることができる締付手段を可動台に設けたことを特徴とする請求項１または請求項２または請求項３に記載のパイプ切断機。
【請求項５】
前記駆動部はカッターを回転可能に支持する電動モータであって、その電動モータ及びカッターがパイプの外周面に対する接近位置と離間位置とを取り得るリンク機構を可動台に設けたことを特徴とする請求項１から請求項４のうちいずれか一つの請求項に記載のパイプ切断機。
【発明の詳細な説明】
【技術分野】
【０００１】
本発明は、パイプの外周面に可撓索を巻き掛けて締め付けた状態でその外周面に載置した切断機本体のカッターによりパイプの外周壁を切断するパイプ切断機に関するものである。
【背景技術】
【０００２】
従来、下記特許文献１にかかるパイプ切断機では、パイプの外周面にローラ付きチェーンが巻き掛けられて締め付けられた状態でその外周面に切断機本体が載置され、その切断機本体をパイプの外周面の周方向へ回動させてそのカッターによりパイプの外周壁を切断する際に、一対のコロがパイプの外周面を周方向へ転動するとともに、パイプの外周に巻かれたガイドリングを一対のコロが周方向へ転動してパイプの軸線方向の動きを規制することができる。
【先行技術文献】
【特許文献】
【０００３】
【特許文献１】特開平８−３２３５３２号公報
【発明の概要】
【発明が解決しようとする課題】
【０００４】
上記特許文献１では、カッターによるパイプの切断時に切断機本体がパイプの外周面の周方向へ自由に動き得るので、切断時の安定性に欠ける問題があり、使い勝手が悪くなっていた。
【０００５】
この発明は、パイプ切断機において切断時の安定性を向上させて使い勝手を良くことを目的としている。
【課題を解決するための手段】
【０００６】
後記実施形態の図面（図１〜４）の符号を援用して本発明を説明する。
請求項１の発明にかかるパイプ切断機は、下記のように構成されている。
パイプ１の外周面２に載置される可動台３の載置部４にその外周面２の周方向Ｒに沿って転動し得る複数の載置ローラ７，８，９，１０を支持している。この可動台３には駆動部２０により回転するカッター２３をパイプ１の外周面２に対し接離可能に支持するとともに、パイプ１の外周面２に巻き掛けられて締め付け可能な可撓索１１を取り付けている。パイプ１の外周面２に対しこの可撓索１１をその外周面２の周方向Ｒに沿って移動させながら前記可動台３と駆動部２０とカッター２３とをその外周面２の周方向Ｒに沿って移動させて、そのカッター２３によりパイプ１の外周壁を切断する際に、前記各載置ローラ７，８，９，１０のうち少なくとも一つの載置ローラ７がパイプ１の外周面２の周方向Ｒの両側向きＲＦ，ＲＢのうち前記カッター２３の移動向きＲＦにのみ回転し得るように回転向き規制手段２７を備えている。
【０００７】
請求項１の発明では、固定されたパイプ１の外周面２に対しパイプ切断機全体をその外周面２の周方向Ｒへ移動させてカッター２３によりパイプ１の外周壁を切断する際に、カッター２３の移動向きＲＦにのみ回転し得る載置ローラ７により、パイプ切断機全体が切断時にその移動向きＲＦとは逆の向きＲＢへ移動することを抑制して、パイプ切断機全体の周方向Ｒへの振れを防止することができる。
【０００８】
請求項１の発明を前提とする請求項２の発明において、前記回転向き規制手段は爪車２８と爪２９とを有する爪車装置２７である。請求項２の発明では、簡単且つ安価な回転向き規制手段にすることができる。
【０００９】
請求項１または請求項２の発明を前提とする請求項３の発明において、前記各載置ローラ７，８，９，１０は可動台３の載置部４においてパイプ１の周方向Ｒの両側及び軸線方向Ｘの両側でそれぞれ支持され、その各載置ローラ７，８，９，１０のうち一つの載置ローラ７に前記回転向き規制手段２７を備えている。請求項３の発明では、一つの載置ローラ７によりパイプ切断機全体の周方向Ｒへの振れを防止しながら、固定されたパイプ１の外周面２に対しパイプ切断機全体をその外周面２の周方向Ｒへ円滑に移動させることができる。
【００１０】
請求項１または請求項２または請求項３の発明を前提とする請求項４の発明において、前記可撓索はチェーン本体１２の幅方向の両側にチェーン本体１２の長手方向に沿ってチェーンローラ１３を並設したローラ付きチェーン１１であって、パイプ１の外周面２に巻き掛けられたローラ付きチェーン１１を締め付けたり緩めたりすることができる締付手段１４を可動台３に設けている。請求項４の発明では、この締付手段１４により、パイプ１の外周面２に対するローラ付きチェーン１１の着脱を容易に行うことができる。
【００１１】
請求項１から請求項４のうちいずれか一つの請求項の発明を前提とする請求項５の発明において、前記駆動部はカッター２３を回転可能に支持する電動モータ２０であって、その電動モータ２０及びカッター２３がパイプ１の外周面２に対する接近位置Ｑと離間位置Ｐとを取り得るリンク機構２４を可動台３に設けている。請求項５の発明では、このリンク機構２４により、パイプ１の外周面２に対するカッター２３の接離を容易に行うことができる。
【発明の効果】
【００１２】
本発明は、パイプ切断機において切断時の安定性を向上させて使い勝手を良くすることができる。
【図面の簡単な説明】
【００１３】
【図１】本実施形態にかかるパイプ切断機の使用状態を示す一部破断側面図である。
【図２】同じく一部破断正面図である。
【図３】同じく一部破断背面図である。
【図４】同じく一部破断正面図である。
【発明を実施するための形態】
【００１４】
以下、本発明の一実施形態にかかるパイプ切断機について図面を参照して説明する。
図１，２に示すように、パイプ１の外周面２に載置される可動台３は枠状に組まれ、その可動台３の下側に設けられた載置部４においてパイプ１の周方向Ｒの両側には支軸５，６がパイプ１の軸線方向Ｘへ延びるように架設されている。この可動台３の載置部４の四隅部においてパイプ１の軸線方向Ｘの両側で両支軸５，６の両端部にはそれぞれ載置ローラ７，８，９，１０が支持されている。
【００１５】
パイプ１の外周面２に巻き掛けられるローラ付きチェーン１１（可撓索）は、チェーン本体１２の幅方向両側にチェーン本体１２の長手方向に沿って並設されたチェーンローラ１３を有している。このローラ付きチェーン１１の一端部１１ａは支軸６に連結され、その他端部１１ｂ側は支軸５に巻き掛けられている。前記可動台３に取り付けられた締付手段１４においては、操作摘み１５を回動させると、その他端部１１ｂ側に連結された雄ねじ部１６が上下動してローラ付きチェーン１１をパイプ１の外周面２に対し締め付けたり緩めたりすることができる。
【００１６】
前記可動台３は、前記載置部４のほかに、上側に設けられた固定ガイド１７とブラケット１８とを有している。この可動台３の固定ガイド１７の前側には可動ガイド１９が上下動可能に支持されている。この可動ガイド１９の前側には電動モータ２０（駆動部）が取着されている。この電動モータ２０の下半部前側にはカバー２１が取着されている。このカバー２１内には、圧縮コイルばね（図示せず）の弾性力により下方へ付勢された保護枠２２が支持されて下方へ突出しているとともに、電動モータ２０により回転するカッター２３がこの保護枠２２の前側に隣接している。
【００１７】
前記可動台３のブラケット１８の前側と前記可動ガイド１９の前側との間にはリンク機構２４が取り付けられている。このリンク機構２４においては、回動盤２５が軸部２５ａを中心に回動操作可能に支持され、この軸部２５ａに対する偏心位置で回動盤２５に対しリンク２６が軸部２６ａにより回動可能に支持されているとともに、可動ガイド１９の上端部に対しリンク２６が軸部２６ｂにより回動可能に支持されている。この回動盤２５を回動操作すると、リンク機構２４を介して前記可動ガイド１９が固定ガイド１７に対し上下動して電動モータ２０とカバー２１と保護枠２２とカッター２３とが一体となってパイプ１の外周面２に対し接近または離間する。
【００１８】
図１，３に示すように、前記可動台３の後側に取り付けられた爪車装置２７（回転向き規制手段）においては、載置ローラ７と連動する支軸５の端部５ａに爪車２８が一体回動可能に支持されているとともに、回動操作可能に支持された爪２９がこの爪車２８に係合される。この載置ローラ７は、この爪２９を爪車２８から外すと、他の載置ローラ８，９，１０と同様に、パイプ１の外周面２の周方向Ｒの両側向きＲＦ，ＲＢへ回転し得るが、この爪２９を爪車２８に係合すると、その両側向きＲＦ，ＲＢのうち一方の向きＲＦにのみ回転し得る。
【００１９】
図１〜３に示すセット状態では、固定されたパイプ１の外周面２にローラ付きチェーン１１が巻き掛けられて締付手段１４により締め付けられ、可動台３の各載置ローラ７，８，９，１０がパイプ１の外周面２に載置されている。そのセット状態で、リンク機構２４においては、回動盤２５の軸部２５ａの上下両側にリンク２６の上下の軸部２６ａ，２６ｂが位置してそれらの軸部２５ａ，２６ａ，２６ｂが一直線上に並んでロックされているため、カッター２３はパイプ１の外周面２に対し離間位置Ｐにある。また、爪車装置２７においては、爪車２８に爪２９が係合されている。
【００２０】
リンク機構２４において、図１〜３に示すセット状態から、図４に示すように回動盤２５を回動操作すると、回動盤２５の軸部２５ａの下側にリンク２６の上下の軸部２６ａ，２６ｂが位置してそれらの軸部２５ａ，２６ａ，２６ｂが一直線上に並んでロックされるため、保護枠２２がパイプ１の外周面２に当接して上方へ退避するとともに、電動モータ２０により回転するカッター２３がパイプ１の外周面２に対し接近位置Ｑになってパイプ１の外周壁を切断してくい込む。さらに、固定されたパイプ１の外周面２に対しローラ付きチェーン１１を爪車２８の回転可能な向きＲＦへ移動させながら、カッター２３を電動モータ２０やカバー２１や保護枠２２とともにその向きＲＦへ所定角度移動させると、パイプ１の外周壁がその所定角度切断される。次に、所定角度切断されたパイプ１の外周面２に対するカッター２３の位置を切断終了状態にしたままで、パイプ１及びパイプ切断機全体を向きＲＦとは逆の向きＲＢに移動させて戻す。以後、この切断動作を繰り返すと、パイプ１の外周壁全体が切断される。
【００２１】
本実施形態は下記の効果を有する。
（１）  各載置ローラ７，８，９，１０のうち一つの載置ローラ７のみがカッター２３の移動向きＲＦにのみ回転し得るように爪車装置２７により規制したので、パイプ切断機全体が切断時にその移動向きＲＦとは逆の向きＲＢへ移動することを抑制し、パイプ切断機全体の周方向Ｒへの振れを防止しながら、固定されたパイプ１の外周面２に対しパイプ切断機全体をその外周面２の周方向Ｒへ円滑に移動させることができる。従って、切断時の安定性を向上させて使い勝手を良くすることができる。
【００２２】
（２）  操作摘み１５を回動させて雄ねじ部１６を上下動させるだけの簡単な締付手段１４により、既存のローラ付きチェーン１１をパイプ１の外周面２に対し締め付けたり緩めたりしてローラ付きチェーン１１を容易に着脱することができる。
【００２３】
（３）  カッター２３を回転させる電動モータ２０を取着した可動ガイド１９を固定ガイド１７に対し上下動可能に支持するとともに、可動台３に対し回動盤２５を回動操作可能に支持し、その可動ガイド１９と回動盤２５との間にリンク２６を連結しただけの簡単なリンク機構２４により、パイプ１の外周面２に対するカッター２３の接離を容易に行うことができる。
【００２４】
前記実施形態以外にも例えば下記のように構成してもよい。
・  前記爪車装置２７に代えて、一つの載置ローラ７内に既存の一方向クラッチを組み込んでもよい。
【００２５】
・  前記ローラ付きチェーン１１に代えて、パイプ１の外周面２に対し周方向Ｒへ滑らすことができる樹脂帯などの可撓索を採用してもよい。
【符号の説明】
【００２６】
１…パイプ、２…外周面、３…可動台、４…可動台の載置部、７，８，９，１０…載置ローラ、１１…ローラ付きチェーン（可撓索）、１２…チェーン本体、１３…チェーンローラ、１４…締付手段、２０…電動モータ（駆動部）、２３…カッター、２４…リンク機構、２７…爪車装置（回転向き規制手段）、２８…爪車、２９…爪、Ｒ…周方向、ＲＦ，ＲＢ…向き、Ｘ…軸線方向、Ｐ…カッターの離間位置、Ｑ…カッターの接近位置。
【図１】
2012035347.tif 000003
【図２】
2012035347.tif 000004
【図３】
2012035347.tif 000005
【図４】
2012035347.tif 000006